(57)【要約】  補聴器（１）は、テレビ（３）の番組コンテンツに対して外部音入力部（１２）を介して入力された音声信号の音量の出力範囲を、ダイナミックレンジ計算部（２０）によって算出されたダイナミックレンジに応じて所定の範囲になるように設定する。
2014054215.tif 000002
【特許請求の範囲】
【請求項１】
複数の番組コンテンツを提供する音響装置から出力された音声信号を受信する外部音入力部と、
前記外部音入力部を介して入力された前記音声信号のダイナミックレンジを算出するダイナミックレンジ計算部と、
前記外部音入力部を介して入力される音声信号の音量の出力範囲を、前記ダイナミックレンジ計算部によって算出されたダイナミックレンジに応じて所定の範囲になるように設定する音声処理部と、
を備えた補聴器。
【請求項２】
前記音声処理部は、前記外部音入力部を介して入力された音声信号に対して前記ダイナミックレンジ計算部において算出されたダイナミックレンジに応じて音量の正規化処理を行うレンジ制御部と、前記レンジ制御部において正規化処理された前記音響装置の音声信号に対して補聴処理を行う補聴処理部と、を有する、
請求項１に記載の補聴器。
【請求項３】
前記音声処理部は、前記外部音入力部を介して入力された音声信号のフィッティングデータの圧縮比を、前記ダイナミックレンジ計算部において算出されたダイナミックレンジに応じて制御する圧縮比制御部と、を有する、
請求項１に記載の補聴器。
【請求項４】
前記外部音入力部を介して音声信号が入力されると、前記ダイナミックレンジ計算部は、過去の所定の時間幅における前記外部音入力部に入力された音声信号のダイナミックレンジを算出する、
請求項１から３のいずれかに記載の補聴器。
【請求項５】
前記外部音入力部を介して音声信号が入力されると、前記ダイナミックレンジ計算部は、過去の所定の時間幅における所定の分析単位ごとの音量から求められるヒストグラムを用いて、前記ダイナミックレンジを算出する、
請求項４に記載の補聴器。
【請求項６】
前記外部音入力部を介して音声信号が入力されると、前記音声処理部は、前記ダイナミックレンジ計算部において算出されたダイナミックレンジに応じて、前記音声信号の音量の出力範囲を、補聴器装用者の難聴度に応じて選択的に設定する、
請求項１から５のいずれかに記載の補聴器。
【請求項７】
複数の番組コンテンツを提供する音響装置から出力された音声信号を受信する外部音入力部と、
前記外部音入力部を介して入力された音声信号を含む番組コンテンツの分類に応じて予め設定されたダイナミックレンジを記憶するメモリと、
前記番組コンテンツの分類を判定し、前記外部音入力部を介して入力された音声信号の出力範囲を、前記メモリに記憶された前記番組コンテンツごとのダイナミックレンジに応じて設定する音声処理部と、
を備えた補聴器。
【請求項８】
前記音声処理部は、前記外部音入力部を介して入力された音声信号に対して前記メモリに記憶されたダイナミックレンジに応じて音量の正規化処理を行うレンジ制御部と、前記レンジ制御部で処理された前記音響装置の音声信号に対して補聴処理を行う補聴処理部と、を有する、
請求項７に記載の補聴器。
【請求項９】
前記補聴処理部に接続されており、フィッティングデータを保持するパラメータ保持部をさらに備えており、
前記パラメータ保持部に保持されたフィッティングテータに基づいて、前記レンジ制御部において音量の正規化処理された前記前記音響装置から入力された音声信号に対して補聴処理を行う、
請求項２または８に記載の補聴器。
【請求項１０】
周囲の音声が入力されるマイクと、前記外部音入力部および前記マイクのいずれかの音源を選択する音源切り換え部と、
をさらに備えた、
請求項１から９のいずれかに記載の補聴器。
【発明の詳細な説明】
【技術分野】
【０００１】
本発明は、例えば、テレビ等の音響装置の音声を快適に聞くことができる補聴器に関するものである。
【背景技術】
【０００２】
従来の補聴器は、マイクロフォンと、マイクロフォンに接続された制御部と、制御部に接続された補聴処理部と、補聴処理部に接続されたイヤフォンとを備えていた。そして、従来の補聴器は、補聴器装用者の聴力レベルに合わせて利得の増幅レベルを調節するものであった（例えば、下記特許文献１）。
【先行技術文献】
【特許文献】
【０００３】
【特許文献１】特開平１０−２９４９９０号公報
【発明の概要】
【０００４】
上記従来の補聴器では、音量を増幅する上限を予め定め、補聴器装用者の最小可聴域に合わせて増幅レベルを設定することで補聴器装用者各人にとって好ましい補聴環境を与えている。
しかしながら、このような設定では、例えば、テレビ番組の視聴において必ずしも適切な補聴環境を与えることができないおそれがある。すなわち、テレビ番組の番組コンテンツ間では、その音声のダイナミックレンジが異なっている場合がある。
【０００５】
例えば、ニュース等のダイナミックレンジの狭い番組を視聴した後、続けて、例えば、映画等のダイナミックレンジの広い番組を視聴する場合、前者の番組に合わせて増幅レベルが設定された状態で後者の番組を視聴すると、小さな音が聞こえなかったり、大きな音は頻繁に増幅の上限に到達してしまったりするおそれがある。
つまり、従来の補聴器では、テレビの番組コンテンツ間のダイナミックレンジの違いを考慮することなく、音量を増幅する上限と最小可聴域のみに基づいて補聴器の増幅レベルが設定されていた。よって、番組コンテンツが切り換えられた際に、補聴器の増幅レベルが適正に設定されない場合には、補聴器装用者に不快感を与えるおそれがある。
そこで、本発明は、テレビ等の音響装置の番組コンテンツが切り換えられた際に、補聴器装用者の不快感を抑制することが可能な補聴器を提供することを目的とするものである。
【０００６】
そして、上記の目的を達成するために、本発明の補聴器は、外部音入力部と、ダイナミックレンジ計算部と、音声処理部と、を備えている。外部音入力部は、複数の番組コンテンツを提供する音響装置から出力された音声信号を受信する。ダイナミックレンジ計算部は、外部音入力部を介して入力された音声信号のダイナミックレンジを算出する。音声処理部は、外部音入力部を介して入力される音声信号の音量の出力範囲を、ダイナミックレンジ計算部によって算出されたダイナミックレンジに応じて所定の範囲になるように設定する。
また、本発明の補聴器は、外部音入力部と、メモリと、音声処理部と、を備えている。外部音入力部は、複数の番組コンテンツを提供する音響装置から出力された音声信号を受信する。メモリは、外部音入力部を介して入力された音声信号を含む番組コンテンツの分類に応じて予め設定されたダイナミックレンジを記憶する。音声処理部は、番組コンテンツの分類を判定し、外部音入力部を介して入力された音声信号の出力範囲を、メモリに記憶された番組コンテンツごとのダイナミックレンジに応じて設定する。
【０００７】
（発明の効果）
本発明によれば、例えば、テレビ等の音響装置の番組コンテンツのダイナミックレンジに応じて音響装置から出力された音声信号を適正に処理された音量で得ることができる。この結果、テレビ等の音響装置の番組コンテンツが切り換えられた際に生じる補聴器装用者の不快感を抑制することができる。
【図面の簡単な説明】
【０００８】
【図１】本発明の実施形態１に係る補聴器の使用状態を示す図。
【図２】図１の補聴器の制御ブロック図。
【図３】図１の補聴器の動作を説明するフローチャート。
【図４】図１の補聴器の音声処理を説明する図。
【図５】図１の補聴器の補聴処理を説明する図。
【図６】本発明の実施形態２に係る補聴器の制御ブロック図。
【図７】図６の補聴器の動作を説明するフローチャート。
【図８】（ａ），（ｂ）は、図６の補聴器の音声処理を説明する図。
【図９】（ａ），（ｂ）は、図６の補聴器の補聴処理を説明する図。
【発明を実施するための形態】
【０００９】
以下、本発明の一実施形態について、添付図面を用いて詳細に説明する。
（実施形態１）
本実施形態の補聴器１は、図１に示すように、補聴器装用者２の耳に装着されるとともに、テレビ３（音響装置の一例）に有線接続、あるいはBluetooth（登録商標）などの手段によって無線接続され、テレビ３の音声信号が入力される。そして、補聴器１は、リモコン４によって各種設定・操作が行われる。
【００１０】
（リモコン４）
リモコン４は、音量変更ボタン５、切り換えボタン７、ダイナミックレンジ変更ボタン８を有している。
音量変更ボタン５は、UPボタン５ａ、あるいはDOWNボタン５ｂが押下されることで、補聴器１の音量を調整する。
【００１１】
切り換えボタン７は、マイクボタン７ａ、あるいはテレビボタン７ｂが押下されることで、補聴器１のマイク６から入力された音声、またはテレビ３から入力された音声信号のいずれを補聴処理するかを切り換える。
ダイナミックレンジ変更ボタン８は、視聴するテレビ３の番組コンテンツのダイナミックレンジに応じて、補聴器１から出力される音量を正規化する。
【００１２】
（テレビ３）
テレビ３は、補聴器装用者２が視聴する番組コンテンツを提供するとともに、図２に示すように、受信部９、表示部１０、および音声送信部１１を備えている。
受信部９は、番組コンテンツを受信する。
表示部１０は、受信部９において受信した番組コンテンツを表示する。
音声送信部１１は、補聴器１に対して有線または無線を介して接続され、補聴器１の外部音入力部１２に対して音声信号を送信する。
【００１３】
（補聴器１）
補聴器１は、図２に示すように、制御部１ａ、外部音入力部１２、リモコン信号受信部１３、マイク入力部１７、音源切り換え部１８、レンジ制御部１９、ダイナミックレンジ計算部２０、フィッティングデータ管理部２１、パラメータ保持部２２、補聴処理部２３、および出力部２４を備えている。
【００１４】
外部音入力部１２は、上述したテレビ３の音声送信部１１から音声信号を受信する。
リモコン信号受信部１３は、上述したリモコン４の送信部１６との間で通信を行う。また、リモコン４側では、音量変更ボタン５、切り換えボタン７、ダイナミックレンジ変更ボタン８のいずれかが押下されると、各々の操作がリモコン４側の入力部１４によって受け付けられる。そして、補聴器１側のリモコン信号受信部１３は、リモコン４側の制御部１５を介して送信部１６から各々の制御信号を受信する。
【００１５】
マイク入力部１７は、外部音入力部１２とともに、音源切り換え部１８に接続されている。
音源切り換え部１８は、リモコン信号受信部１３および制御部１ａを介して入力されるリモコン４側の切り換えボタン７（図１参照）の操作に従って、補聴器１のマイク６からマイク入力部１７を介して入力される音声、またはテレビ３から外部音入力部１２を介して入力される音声信号のいずれかを選択する。そして、音源切り換え部１８は、レンジ制御部１９と、ダイナミックレンジ計算部２０にそれぞれ接続されている。
【００１６】
レンジ制御部１９は、外部音入力部１２を介して補聴器１に入力されたテレビ音声の音量の出力範囲を、ダイナミックレンジ計算部２０で算出されたテレビ３の音声信号のダイナミックレンジに応じて正規化する処理を行う。
ダイナミックレンジ計算部２０は、リモコン信号受信部１３および制御部１ａを介して入力されるリモコン４側の切り換えボタン７（図１参照）の操作に従って、外部音入力部１２を介して補聴器１に入力されたテレビ３の音声信号の直近（例えば、過去３０秒間）のダイナミックレンジを算出する。
【００１７】
フィッティングデータ管理部２１には、補聴器装用者２の聴力に合わせて設定された補聴器１のフィッティングデータが保存されている。このフィッティングデータは、補聴器の動作を規定するパラメータを含んでいる。このパラメータは、通常、補聴器装用者２の聴力からフィッティング理論を用いて算出されるターゲットゲインに合うように構成されている。
【００１８】
パラメータ保持部２２は、フィッティングデータ管理部２１に保存されているフィッティングデータを読み出して、補聴処理部２３が使用できるメモリ上に保持する。
補聴処理部２３は、レンジ制御部１９に接続されている。そして、補聴処理部２３は、レンジ制御部１９によってダイナミックレンジに応じて正規化されたテレビ３の音声信号を、パラメータ保持部２２に保持されているフィッティングデータに基づいて補聴処理を行う。
【００１９】
出力部２４は、図１に示す補聴器１のレシーバー２５に対応しており、補聴処理部２３に接続されており、補聴処理部２３で補聴処理されたテレビ３の音声信号を音声として出力する。
【００２０】
＜補聴器１の使用手順＞
以上の構成において、本実施形態では、図１に示す補聴器１を使用状態へ移行させる際の手順について、図３のフローチャートを用いて説明すれば以下の通りである。
すなわち、図３に示すように、まず、ステップＳ１において、補聴器１の電源をＯＮにする。
次に、ステップＳ２において、パラメータ保持部２２によってフィッティングデータ管理部２１からフィッティングデータが読み出され、補聴処理が開始される。
次に、ステップＳ３において、音源切り換え部１８が、補聴処理されて補聴器１から出力される音声の音源が、マイク入力部１７から入力した音声か、あるいはテレビ３から入力された音声信号かを判定する。
【００２１】
ここで、どちらの音源を補聴処理するかは、補聴器装用者２によってリモコン４の切り換えボタン７が操作されることによって選択される。
ここで、補聴器装用者によってマイク入力部１７から入力した音声が選択された場合には、ステップＳ４において、補聴器１は、マイク入力部１７から音声の入力を受け付け、レンジ制御部１９を介して補聴処理部２３に提供する。なお、マイク入力部１７からの入力に対しては、レンジ制御部１９における処理は行われない。
【００２２】
そして、ステップＳ５において、補聴処理部２３がマイク入力部１７から入力された音声を周波数帯域ごとに分解し、各々の周波数帯域ごとにパラメータ保持部２２で保持されているフィッティングデータに基づいて補聴処理を行う。
その後、ステップＳ６において、補聴処理後の音声が、補聴器１のレシーバー２５から音声として出力される。
【００２３】
一方、ステップＳ３において、補聴処理を行う音源がテレビ３の音声信号であると判定された場合には、補聴器装用者がリモコン４の切り換えボタン７を操作することによって外部音入力部１２から入力された音声が選択される。
次に、ステップＳ７において、補聴器１は、外部音入力部１２からテレビ３の音声信号を受け付ける。
【００２４】
次に、ステップＳ８において、補聴器１では、テレビ３の番組コンテンツのダイナミックレンジに応じて音量を正規化する処理が、レンジ制御部１９において行われる。
ここで、テレビ３の番組コンテンツのダイナミックレンジに応じて音量を正規化する処理について、図４を用いて詳しく説明する。なお、図４において、横軸は番組コンテンツの音量、縦軸はダイナミックレンジに応じて正規化する音声処理された後の音量を示している。
【００２５】
図４に示す（Ａ）および（Ｂ）は、異なるダイナミックレンジを持つ、番組の切り換え前後の２つの番組コンテンツに対する音量を正規化する音声処理後のグラフを表している。
図４において（Ａ）で示されている番組コンテンツも、（Ｂ）で示されている番組コンテンツも、どちらも音声処理後の音量の上限をmaxの値とし、下限をminの値に設定されている。
【００２６】
ここで、音声処理後の音量の上限の値は、これ以上音が大きくなると補聴器装用者が不快に感じてしまう音量に設定されており、例えば、８０ｄＢＳＰＬなどに設定される。一方、下限の値は、補聴器装用者が聞き取ることができる最小の音量であって、例えば、５０ｄＢＳＰＬなどに設定される。これらの値は一般的な代表値として、予め設定されてもよいし、補聴器装用者の重度、軽度などの難聴レベルに応じて選択的に設定されてもよい。これらの上限値、下限値を選択的に設定可能とすることで、補聴器装用者の個々の難聴レベルに合ったより精度の高い処理結果を得ることができる。
【００２７】
そして、図４において、（Ａ）で示されている番組コンテンツと、（Ｂ）で示されている番組コンテンツとでは、各々ダイナミックレンジが異なるが、どちらもそれぞれの番組の音量の下限値ａ１，ｂ１を音声処理後の下限の値であるminとし、番組の音量の上限値ａ２，ｂ２を音声処理後の上限の値であるmaxとしている。
そして、本実施形態では、これらのminとmaxとの間を、各々の番組コンテンツのダイナミックレンジの下限ａ１，ｂ１から上限ａ２，ｂ２までを連続的に変化させる。すなわち、図４において（Ａ）で示されている番組コンテンツは、番組の音量に対する音声処理後の音量の変化が急である。これに対して、図４において（Ｂ）で示されている番組コンテンツは、番組の音量に対する音声処理後の音量の変化が緩やかである。
【００２８】
本実施形態では、図４に示すように、番組コンテンツは番組の音量に対する音声処理後の音量の変化が一次関数的に直線的に変化するものとして示されているがこれに限定されるものではない。
また、上述した番組切り換え後の番組コンテンツのダイナミックレンジに応じて音量を正規化する音声処理は、テレビ３から入力された音声信号について、一定の時間ごとに音量を計算して処理を行うものであって、例えば、１００ｍｓｅｃごとに処理が行われればよい。
【００２９】
続いて、図３のフローチャートに戻って説明する。
ステップＳ８において、レンジ制御部１９によって音量を正規化する音声処理された音声信号は、ステップＳ５において、補聴処理が行われる。
次に、ステップＳ６において、補聴処理後の音声が補聴器１のレシーバー２５から出力される。
【００３０】
その後、ステップＳ９において、補聴器１の電源がＯＦＦになったかどうかがチェックされる。
ここで、補聴器１の電源がＯＦＦでない場合には、ステップＳ１０において、ダイナミックレンジ変更ボタン８が押下されたかどうかをチェックする。ダイナミックレンジ変更ボタン８が押下された場合には、ステップＳ１１において、ダイナミックレンジ計算部２０が、番組コンテンツのダイナミックレンジを算出する。
【００３１】
ダイナミックレンジ計算部２０では、図５に示すように、直近過去３０秒の外部音入力部１２からの入力が、分析の単位（例えば１００ｍｓｅｃ）ごとに音声バッファ３０に保持されるように設定されている。なお、この入力は、時間とともに逐次更新される。
さらに、ダイナミックレンジ計算部２０は、上記音声バッファ３０の情報から求められる音量のヒストグラム２６の最小値２７、最大値２８を用いて番組コンテンツのダイナミックレンジを算出する。そして、ダイナミックレンジ計算部２０は、算出した結果をレンジ制御部１９に提供する。
【００３２】
本実施形態の補聴器１では、以上のような手順により、ダイナミックレンジが異なる番組コンテンツを続けてテレビ３で視聴する場合でも、番組コンテンツのダイナミックレンジに応じて、補聴器１の出力が適切な音量の出力範囲になるように処理を行う。
これにより、番組コンテンツを切り換えた後に入力される音声信号の音量が変化する範囲（補聴器１の出力範囲）を、所定の範囲内になるように調整することができるため、補聴器装用者は快適に番組を視聴することができる。
【００３３】
すなわち、本実施形態の補聴器１では、テレビ３の番組コンテンツのダイナミックレンジに応じて音量の出力範囲を正規化する処理を行うことで、番組コンテンツに応じてテレビ３から入力された音声信号として、適正に処理された音量を得ることができる。その結果、テレビ３の番組を切り換えた際に生じる補聴器装用者の不快感を抑制することができる。
【００３４】
なお、本実施形態では、番組コンテンツごとのダイナミックレンジをダイナミックレンジ計算部２０によって算出して求めたが、予め番組コンテンツの分類ごとにダイナミックレンジを所定の値に設定し、補聴器１のメモリ（図示せず）などに保存しておいてもよい。
例えば、バラエティ、ニュース、映画、音楽などの番組の分類ごとに、それぞれ所定の範囲となるダイナミックレンジが予め設定されていてもよい。
【００３５】
すなわち、この場合には、上述した図３のステップＳ１１において、ダイナミックレンジ変更ボタン８が押下された時点の番組コンテンツに応じて、予め番組コンテンツの分類ごとに設定されていた所定の範囲のダイナミックレンジを、補聴器１のメモリから読み出せばよい。
これにより、テレビ３の番組コンテンツを切り換える度に、ダイナミックレンジ計算部２０においてダイナミックレンジを計算する場合と比較して、補聴器１における処理の負荷を軽減することができる。
【００３６】
また、番組コンテンツの分類ごとに設定されるダイナミックレンジは、上述したように、予め所定の範囲の値として設定されてもよい。あるいは、図３のＳ１１で示す工程において、番組コンテンツの分類ごとに計算によって算出された初回の値を補聴器１のメモリに記憶させ、再度、同じ分類の番組コンテンツを視聴する場合には、初回の視聴時に設定された値を補聴器１のメモリから読み出して用いてもよい。この場合でも、上記と同様の効果を得ることができる。
【００３７】
さらに、例えば、ＥＰＧ（Electronic Program Guide）などの番組情報に基づいて、分類された番組コンテンツに応じてダイナミックレンジを切り換えてもよい。
これにより、上述した図３のＳ１０に示す工程において、番組コンテンツが切り換えられてダイナミックレンジを変更する場合でも、補聴器装用者がダイナミックレンジ変更ボタン８を押下しなくても、自動的にダイナミックレンジを変更する処理を開始することができるため、利便性を向上させることができる。
【００３８】
（実施形態２）
次に、本発明の他の実施形態に係る補聴器１０１について説明する。ここでは、説明を簡略化するため実施形態１の補聴器１と共通する部分の説明は割愛し、実施形態１と異なる部分を中心に説明する。なお、テレビ３およびリモコン４の構成については、上記実施形態１と共通である。
【００３９】
すなわち、テレビ３から外部音入力部１２を介して入力される音声信号は、上記実施形態１においては、図２に示す音源切り換え部１８、さらにレンジ制御部１９を介して補聴処理部２３に入力されるとしたが、本実施形態の補聴器１０１では、図６に示すように、音源切り換え部１８を介して、補聴処理部２３に直接入力される点で異なっている。
また、本実施形態の補聴器１０１では、ダイナミックレンジ計算部２０と接続された圧縮比制御部２９が設けられている点でも、上記実施形態１とは異なっている。
【００４０】
圧縮比制御部２９は、フィッティングデータ管理部２１で管理されているフィッティングデータの圧縮比を、ダイナミックレンジ計算部２０によって算出されたテレビ３の音声信号のダイナミックレンジに基づいて変更する。そして、圧縮比制御部２９は、補聴処理部２３で用いられるフィッティングパラメータをパラメータ保持部２２に出力する。
さらに、本実施形態の補聴器１０１では、制御部１０１ａが、リモコン信号受信部１３を経由して入力された指示に基づいて、音源切り換え部１８、ダイナミックレンジ計算部２０に加えて、出力部２４を制御する点においても、上記実施形態１の補聴器１とは異なっている。
【００４１】
すなわち、本実施形態の補聴器１０１は、図６に示すように、制御部１０１ａ、外部音入力部１２、リモコン信号受信部１３、マイク入力部１７、音源切り換え部１８、ダイナミックレンジ計算部２０、フィッティングデータ管理部２１、パラメータ保持部２２、補聴処理部２３、出力部２４、および圧縮比制御部２９を備えている。
【００４２】
＜補聴器１０１の使用手順＞
以上のような構成において、本実施形態では、図６に示す補聴器１０１を使用状態へ移行させる際の手順について、図７のフローチャートを用いて説明すれば以下の通りである。
すなわち、図７に示すように、まず、ステップＳ１において、補聴器１の電源をＯＮにする。
次に、ステップＳ２において、パラメータ保持部２２によってフィッティングデータ管理部２１からフィッティングデータが読み出され、補聴処理が開始される。
次に、ステップＳ３において、補聴処理を行い、補聴器１０１から出力される音源がマイク入力部１７から入力された音声か、テレビ３から入力された音声信号かを音源切り換え部１８で判定する。
【００４３】
ここで、どちらの音源を補聴処理するかは、リモコン４の切り換えボタン７を操作することによって選択される。
マイク入力部１７から入力された音声が選択された場合は、ステップＳ４において、マイク入力部１７から音声の入力を受け付けて、補聴処理部２３に提供する。
続いて、ステップＳ５では、補聴処理部２３においてマイク入力部１７から入力された音声を周波数帯域ごとに分解し、各々の周波数帯域ごとにパラメータ保持部２２で保持されているフィッティングデータを用いて補聴処理を行う。
【００４４】
次に、ステップＳ６では、補聴処理後の音声が、補聴器１０１のレシーバー２５から出力される。
一方、ステップＳ３において補聴処理を行う音源がテレビ３の音声信号であると判定された場合には、ステップＳ７において、リモコン４の切り換えボタン７を操作することによって外部音入力部１２から入力された音声が選択される。そして、音源切り換え部１８は、外部音入力部１２からテレビ３の音声信号を受け付けて、補聴処理部２３に提供する。
【００４５】
次に、ステップＳ５では、補聴処理部２３において、外部音入力部１２から受け付けたテレビ音声を周波数帯域ごとに分解し、各々の周波数帯域ごとにパラメータ保持部２２で保持されているフィッティングデータに基づいて補聴処理を行う。
次に、ステップＳ６では、補聴処理後の音声を補聴器１０１のレシーバー２５から出力する。
【００４６】
その後、ステップＳ９では、補聴器１０１の電源がＯＦＦになったかどうかをチェックする。
ここで、電源がＯＦＦでない場合には、ステップＳ１０において、ダイナミックレンジ変更ボタン８が押下されたかどうかをチェックする。ダイナミックレンジ変更ボタン８が押下された場合には、ステップＳ１１において、上記実施形態１と同様の方法によってダイナミックレンジ計算部２０が番組コンテンツのダイナミックレンジを算出する。
【００４７】
次に、ステップＳ１２では、圧縮比制御部２９が圧縮比制御を行う。ここで、圧縮比制御部２９における圧縮比制御について、図８および図９を用いて詳細に説明する。
図８（ａ）は、１ｋＨｚのフィッティングパラメータを図示したもので、入力音圧（図中の横軸）に対して、補聴処理後の出力音圧（図中の縦軸）をどの程度にするかの関係を表している。
【００４８】
フィッティングパラメータは、一般にGainと、Compressionと、ＴＫという３つのパラメータを周波数ごとに持っている。
Gainは、例えば、入力音圧６０ｄＢに対して、どの程度出力音圧を上げるかというパラメータで、図８（ａ）では、入力音圧６０ｄＢに対してGainは１０ｄＢと設定されている。その結果、出力音圧は７０ｄＢとなっている。
【００４９】
Compressionは、図８（ａ）に示す折れ線の直線部分（図８（ａ）のＣ）の傾きを示している。
また、ＴＫはCompressionが線形に変わる部分のポイント（図８（ａ）のＤ）を示している。
ここで、図８（ｂ）に示す範囲（Ａ）は、テレビ３の番組コンテンツにおける直近の過去３０秒のテレビ音声のダイナミックレンジを示している。このため、ダイナミックレンジ（範囲（Ａ））のテレビの音圧が補聴器１０１から出力される際に下限値であるminと上限値であるmaxとの間の所定の範囲に出力音圧が入るようにCompressionの傾き（図８（ｂ）のＣ）を制御する。この出力音圧の下限値（(図８（ｂ）のmin)と上限値（max）とは、例えば、入力音圧が６０ｄＢの際に出力される音圧（ここでは７０ｄＢ）を中心に±１５ｄＢの範囲に入るようにする等の方法で決定することができる。
【００５０】
そして、図９（ａ）に示す入力音圧の範囲（Ａ）は、補聴器装用者にとって適正な出力音圧の範囲である。
すなわち、範囲（Ａ）の下限であるminは、補聴器装用者が聞き取ることができる最小音圧であって、上限であるmaxは、補聴器装用者がうるさいと不快に感じない最大音圧を示している。
【００５１】
これに対して、図９（ａ）に示す入力音圧の範囲（Ｂ）では、出力音圧は最小値であるmin’と最大値であるmax’との間の範囲になっている。より詳細には、出力音圧の最小値（図９（ａ）のmin’）は適正な出力音圧の範囲より小さく、補聴器装用者が聞き取ることができないおそれがある。一方、出力音圧の最大値（図９（ａ）のmax’）は適正な出力音圧の範囲より大きく、補聴器装用者にとってうるさく不快に感じるおそれがある。
【００５２】
そこで、本実施形態の補聴器１０１では、圧縮比制御においては、図９（ｂ）に示す破線（Ｂ’）に示すように圧縮比を変更することで、ダイナミックレンジが広い番組コンテンツであっても補聴器装用者にとって適切な音圧の範囲である下限値（図９（ｂ）のmin）と上限値（図９（ｂ）のmax）との範囲に出力音圧の範囲が収まるように制御を行う。
つまり、適正な出力音圧の範囲である下限値（図９（ｂ）のmin）と上限値（図９（ｂ）のmax）との範囲に入るように番組コンテンツの入力音圧の範囲（ダイナミックレンジ）に応じてCompressionの傾き（図９（ｂ）のＣ）を制御する。具体的には、番組コンテンツのダイナミックレンジの下限値ｂ１を、音声処理後の下限の値であるｍｉｎとする。一方、ダイナミックレンジの上限値ｂ２を、音声処理後の上限の値であるmaxとする。そして、これらのminとmaxとの間を、各々の番組コンテンツのダイナミックレンジの下限ｂ１から上限ｂ２までにわたって連続的に変化させる。
【００５３】
上記ステップＳ１２における圧縮比制御に続いて、ステップＳ１３では、圧縮比制御部２９において圧縮比が変更されたフィッティングデータを、パラメータ保持部２２に保存する。
以上の作業により、ダイナミックレンジが異なる番組コンテンツを続けてテレビで視聴する場合でも、チャンネル切り換え後の番組コンテンツのダイナミックレンジに応じて処理後の音量が変化する範囲を所定の範囲にすることができる。この結果、補聴器装用者は、チャンネルを切り換えて番組コンテンツが変わった場合でも、快適に番組を視聴することができる。
【００５４】
すなわち、本実施形態の補聴器１０１では、テレビの番組コンテンツのダイナミックレンジに応じてフィッティングパラメータのCompressionの傾きを制御することで、番組コンテンツに応じてテレビから入力された音声信号を適正に処理した音量を得ることができる。その結果、番組コンテンツが切り換わった際に生じる補聴器装用者の不快感を抑制することができる。
【００５５】
なお、本実施形態でも、上記実施形態１と同様に、予め番組コンテンツの分類ごとにダイナミックレンジを所定の値に設定しておき、補聴器１０１のメモリ（図示せず）等に保存しておいてもよい。
また、上記実施形態１と同様に、番組コンテンツの分類ごとに計算によって算出された初回の値を補聴器１０１のメモリに記憶させ、同じ番組コンテンツの分類では２回目以降は、その初回の値を補聴器１０１のメモリから読み出して用いるようにしてもよい。
さらに、上記実施形態１と同様に、番組情報に基づいて分類された番組コンテンツに応じてダイナミックレンジを切り換えるようにしてもよい。
このような構成により、上記実施形態１と同様の効果を得ることができる。
【００５６】
［他の実施形態］
以上、本発明の一実施形態について説明したが、本発明は上記実施形態に限定されるものではなく、発明の要旨を逸脱しない範囲で種々の変更が可能である。
【００５７】
（Ａ）
上記実施形態では、補聴器１に対して外部入力を行う音響装置として、テレビ３を例として挙げて説明した。しかし、本発明はこれに限定されるものではない。
例えば、テレビ以外に、ラジオやステレオ等の外部機器を音響装置として補聴器に接続してもよい。
この場合でも、上記テレビに接続した場合と同様の効果を得ることができる。
【００５８】
（Ｂ）
上記実施形態では、ダイナミックレンジ計算部２０では、ダイナミックレンジ変更ボタン８が押下された場合、直近の過去３０秒の外部音入力部１２からの入力を音声バッファ３０に保持する例を挙げて説明した。しかし、本発明はこれに限定されるものではない。
【００５９】
例えば、ダイナミックレンジ変更ボタン８が押下されてから、その後の３０秒間の音声からダイナミックレンジを算出してもよい。
また、ダイナミックレンジ変更ボタン８をスライド式のスイッチにすることで、一定の時間（例えば３分）ごとにダイナミックレンジに応じて音量を処理するようなモードに切り換えるといった方法を採用してもよい。
【産業上の利用可能性】
【００６０】
本発明は、例えば、テレビ等の音響装置の番組コンテンツのダイナミックレンジに応じてテレビから入力した音声信号を適正に処理した音量を得ることができるため、補聴器装用者の不快感を抑えることができるという効果を奏するものであることから、補聴器を装用する難聴者の生活快適性の向上に大きく貢献するものとなる。
【符号の説明】
【００６１】
１      補聴器
１ａ    制御部
２      補聴器装用者
３      テレビ（音響装置）
４      リモコン
５      音量変更ボタン
５ａ    ＵＰボタン
５ｂ    ＤＯＷＮボタン
６      マイク
７      切り換えボタン
７ａ    マイクボタン
７ｂ    テレビボタン
８      ダイナミックレンジ変更ボタン
９      受信部
１０      表示部
１１      音声送信部
１２      外部音入力部
１３      リモコン信号受信部
１４      入力部
１５      制御部
１６      送信部
１７      マイク入力部
１８      音源切り換え部
１９      レンジ制御部
２０      ダイナミックレンジ計算部
２１      フィッティングデータ管理部
２２      パラメータ保持部
２３      補聴処理部
２４      出力部
２５      レシーバー
２６      ヒストグラム
２７      最小値
２８      最大値
２９      圧縮比制御部
３０      音声バッファ
１０１    補聴器
１０１ａ  制御部
【図１】
2014054215.tif 000003
【図２】
2014054215.tif 000004
【図３】
2014054215.tif 000005
【図４】
2014054215.tif 000006
【図５】
2014054215.tif 000007
【図６】
2014054215.tif 000008
【図７】
2014054215.tif 000009
【図８】
2014054215.tif 000010
【図９】
2014054215.tif 000011
【国際調査報告】
2014054215.tif 000012
2014054215.tif 000013
2014054215.tif 000014
2014054215.tif 000015